(57)【要約】      （修正有）【課題】構造簡単で組み立て易くしかも肩部材の内筒用部材が光透過性で、ダイヤカット模様のキラメキにより、意匠性の優れた飲料用容器を提供する。【解決手段】有底筒状で金属製の内筒２と、内筒２を覆う有底筒状で金属製の外筒３とを備え、口元にて内筒２と外筒３とを溶着して内外筒間を真空引きしてなる容器本体１ａを設け、容器本体１ａの口元に肩部材４を装着し、肩部材４に栓体１０を着脱自在に装着してなる飲料用容器に於いて、容器本体１ａの外筒３には、口元外側壁面が鏡面状に研磨される一方、肩部材４には、内筒２内側で着脱自在に装着される内筒用部材と、外筒３外側で鏡面状の口元外側壁を覆い、かつ内筒用部材に嵌合する外筒用部材とが備えられ、この外筒用部材は、鏡面状の口元外側壁との間に隙間を設けると共に、光透過性の透明な材料にて外側壁面と内側壁面とがそれぞれダイヤカット模様の凹凸加工面体に形成される構成としている。【選択図】図５
2019118427.tif 000002
【特許請求の範囲】
【請求項１】
有底筒状で金属製の内筒（２）と、その外側に隙間を隔てて内筒（２）を覆う有底筒状で金属製の外筒（３）とを備え、口元にて内筒（２）と外筒（３）とを溶着して内外筒間を真空引きしてなる容器本体（１ａ）を設け、容器本体（１ａ）の口元に肩部材（４）を装着し、肩部材（４）に栓体（１０）を着脱自在に装着してなる飲料用容器（１）に於いて、上記容器本体（１ａ）の外筒（３）には、口元外側壁面が鏡面状に研磨される一方、肩部材（４）には、内筒（２）内側で着脱自在に装着される内筒用部材（５）と、外筒（３）外側で鏡面状の口元外側壁を覆い、かつ内筒用部材（５）に嵌合する外筒用部材（６）とが備えられ、この外筒用部材（６）は、鏡面状の口元外側壁との間に隙間を設けると共に、光透過性の透明な材料にて外側壁面と内側壁面とがそれぞれダイヤカット模様の凹凸加工面体に形成されていることを特徴とした飲料用容器。
【発明の詳細な説明】
【技術分野】
【０００１】
本発明は、真空二重瓶容器を用いた飲料用容器に関するものである。
【背景技術】
【０００２】
従来、この種のものとして、金属性真空二重の容器と、この容器の上部に着脱可能に装着される飲み口部材と、この飲み口部材に着脱可能に装着される栓体とを備えた飲料用容器が特許第５５０３０３９号公報（特許文献１、図１参照）として存在する。
【先行技術文献】
【特許文献】
【０００３】
【特許文献１】特許第５５０３０３９号公報（特許文献１、図１参照）
【発明の概要】
【発明が解決しようとする課題】
【０００４】
ところが、このような飲料用容器では、容器本体１の口元内側に螺着する飲み口本体９にリング部材３８が一体に組み込まれており、このリング部材３８には、リング本体５１と、このリング本体５１の外面を覆うように設けたリング保護体６１とが一体に備えられて、このリング本体５１が剛性体にて成形され、リング保護体６１は、光透過性を有する弾性材料又は剛性材料からなっている。更に、リング本体５１を外部から視認可能にする場合には、リング保護体６１が光透過性を有する材料にて形成したり、グリップ性を向上する場合には、リング保護体６１を弾性材料にて形成している。
【０００５】
この種の飲料用容器では、このようにリング部材を保護することができても、リング本体とリング保護体との二つの異なった部材を必要とし、この両者をインサート成形もしくは２色成形しなければならないために、高価なものとなると共にリング保護体を光透過性の材料にて成形しても、リング本体とリング保護体とが接触しているために、リング本体又は容器口元外側を鮮明に表示することは全くできないという問題点があった。
【課題を解決するための手段】
【０００６】
本発明は、有底筒状で金属製の内筒２と、その外側に隙間を隔てて内筒２を覆う有底筒状で金属製の外筒３とを備え、口元にて内筒２と外筒３とを溶着して内外筒間を真空引きしてなる容器本体１ａを設け、容器本体１ａの口元に肩部材４を装着し、肩部材４に栓体１０を着脱自在に装着してなる飲料用容器１に於いて、上記容器本体１ａの外筒３には、口元外側壁面が鏡面状に研磨される一方、肩部材４には、内筒２内側で着脱自在に装着される内筒用部材５と、外筒３外側で鏡面状の口元外側壁を覆い、かつ内筒用部材５に嵌合する外筒用部材６とが備えられ、この外筒用部材６は、鏡面状の口元外側壁との間に隙間を設けると共に、光透過性の透明な材料にて外側壁面と内側壁面とがそれぞれダイヤカット模様の凹凸加工面体に形成する構成としている。
【発明の効果】
【０００７】
本発明は、従来の問題点を解決したものであって、構造簡単で組み立て易くしかも肩部材の内筒用部材が光透過性で、この内、外側壁面とがそれぞれダイヤカット模様の凹凸加工面体に形成されており、更に鏡面状の口元外側壁面との間に隙間を設けているために、光の屈曲か働き、透過性と相まってキラキラ光り輝く模様となって意匠的に優れたものとなっている。しかも表面のダイヤカット模様の凹凸加工による光の入射角度と鏡面から裏面のダイヤカット模様の凹凸加工による反射角度がそれぞれ相反して影を作り出すことがないためによりキラメキより意匠性を向上させることができる飲料用容器を提供するにある。
【図面の簡単な説明】
【０００８】
【図１】本発明実施例を示す正面図。
【図２】本発明実施例の中央縦断面図。
【図３】本発明他実施例の斜視図。
【図４】本発明他実施例の栓体を外した状態を示す斜視図。
【図５】本発明他実施例の上部拡大縦断面図。
【図６】本発明他実施例の肩部材を示す分解縦断面図。
【図７】本発明他実施例の栓体を示す縦断面図。
【発明を実施するための最良の形態】
【０００９】
飲料用容器１は、金属製の内筒２と金属製の外筒３とからなる容器本体１ａと、容器本体１ａの口元を覆う肩部材４と、この肩部材４の内側に着脱して容器本体１ａの口元を開閉する栓体１０とから構成されている。
【００１０】
容器本体１ａの内筒２は、図２又は図５に示すように、ステンレス等の金属製材料にて有底筒状にされており、有底の内筒胴体部２ａと、この内筒胴体部２ａの上端を内側にすぼめた内筒下方傾斜部２ｂと、この内筒下方傾斜部２ｂの先端を上方に向けて延ばした内筒最小径部２ｃと、この内筒最小径部２ｃの先端を上方で外側に拡がった内筒上方傾斜部２ｄと、この内筒上方傾斜部２ｄの先端を上方に向けて延ばした内筒垂直部２ｅとが一体的に形成されている。
【００１１】
この内筒２は、内筒垂直部２ｅの内側下方に後述の肩部材４の内筒用部材５と螺着する第１雄ネジ２ｆとが刻設されており、内側上方に後述の外筒３の外筒垂直部３ｃと接合して溶着される内筒口元が形成されている。
【００１２】
容器本体１ａの外筒３は、図２又は図５に示すように、ステンレス等の金属製材料にて有底筒状にされており、有底の外筒胴体部３ａと、この外筒胴体部３ａの上端を上述の内筒下方傾斜部２ｂよりも上方で内側に段状にすぼめた外筒段状部３ｂと、この外筒段状部３ｂの先端を上方に向けて延ばした外筒垂直部３ｃとが一体的に形成されている。
【００１３】
この外筒垂直部３ｃの上方内側は、上述の内筒垂直部２ｅの上方外側と重ね合わされて溶着されている。
又、この外筒垂直部３ｃの外側壁面は、研磨されて光沢のある鏡面状仕上げとなっている。
容器本体１ａの内筒２と外筒３との隙間は、真空引きされている。
【００１４】
肩部材４は、内筒２の内筒垂直部２ｅに螺着する内筒用部材５と、内筒用部材５に嵌合し、外筒３の外筒垂直部３ｃを外側より覆う外筒用部材６とからなっている。
外筒用部材６は、図５又は図６に示すように、光透過性の透明な合成樹脂材料にて筒状に形成されており、下部に透明反射部６ａと、上部に内筒用部材５と嵌合する嵌合部６ｂとが一体的に設けられている。
【００１５】
この透明反射部６ａの外側壁面は、表面をダイヤカット模様の凹凸加工面体とし、更に内側壁面も同様にダイヤカット模様の凹凸加工面体としている。これにより表面からの光の入射角度が放射状となり、又、鏡面状の外筒垂直部３ｃの表面から反射された光が内側壁面に当たって放射状となり影少なくキラキラ光り輝く模様となる。この透明反射部６ａと嵌合部６ｂとの間には、図５又は図６に示すように、後述の栓体１０の外側下部が当接できる段部６ｃを設けている。
【００１６】
肩部材４の内筒用部材５は、図５又は図６に示すように、下段５ａ、中段５ｂ及び上段５ｃとが一体的に形成されている。
この下段５ａは、底壁７の周り四方に上下に貫通する透孔８，８を設けており、下段５ａの上周端を外側に向けて延ばし、その先端周りより上方に延ばした中段５ｂへと連ながっている。この下段５ａの外周側には、後述の第１シールパッキン９を張設する第１シールパッキン用環状溝５ｄを設けている。
【００１７】
内筒用部材５の中段５ｂは、上方に向けてわずかに拡がっており、外周側に前述の第１雄ネジ２ｆと螺着する第１雌ネジ５ｅを刻設して、内周側に後述の第２雄ネジ１６を螺着する第２雌ネジ５ｆを刻設している。
この中段５ｂは、最上周端を外側に向けて延ばして段差５ｇを設けた後、その段差５ｇ外側より上方に向けて延ばした上段５ｃへと連なっている。
【００１８】
この内筒用部材５の上段５ｃは、外周側下部に前述の外筒用部材６の嵌合部６ｂを嵌め込む環状溝部５ｈを設けており、上方はわずかに外側へ拡がって飲みやすい飲み口としている。
この下段５ａの第１シールパッキン用環状溝５ｄ内に装填される第１シールパッキン９は、硬い性質の合成樹脂材料にて環状に形成されており、前述の内筒上方傾斜部２ｄに密に当接して内筒２の内筒用部材５との間を確実に閉鎖している。
【００１９】
栓体１０は、図５又は図７に示すように、内筒用部材５を上方より覆う覆部材１１と、この覆部材１１の上端を覆う蓋カバー１２と、この蓋カバー１２を上側より覆う金属性キャップ１３と、内筒用部材５の中段５ｂと上段５ｃとの内側壁面に密に接触する第２シールパッキン１４とからなっている。
【００２０】
栓体１０の覆部材１１は、第２シールパッキン１４よりも下方の外側壁に前述の内筒用部材５の中段５に設けた第２雌ネジ５ｆと螺着する第２雄ネジ１６を刻設している。
この第２シールパッキン１４は、前述の第１シールパッキン９よりも柔らかい性質の合成樹脂材料にて環状に形成されている。
蓋カバー１２は、図５に示すように、栓体１０が肩部材４に螺着した際、周壁下端が外筒用部材６の段部３ｃに載置されるようにしている。
１５は、断熱材である。
【００２１】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【符号の説明】
【００２２】
１…飲料用容器
１ａ容器本体
２…内筒
２ｄ…内筒上方傾斜部
３…外筒
３ｃ…外筒垂直部
４…肩部材
５…内筒用部材
６…外筒用部材
６ａ…透明反射部
６ｂ…嵌合部
１０…栓体
１１…覆部材
１２…蓋カバー
１３…金属製キャップ
１５…断熱材
【図１】
2019118427.tif 000003
【図２】
2019118427.tif 000004
【図３】
2019118427.tif 000005
【図４】
2019118427.tif 000006
【図５】
2019118427.tif 000007
【図６】
2019118427.tif 000008
【図７】
2019118427.tif 000009